(57)【特許請求の範囲】
【請求項１】
円盤状のパネルに形成され、環状のスコアに沿って破断されるパネルの一部である開口片と、該開口片に設けられて前記スコアを破断するタブとを備え、前記スコアに沿った前記開口片の周縁部に、パネルを裏面側に折り返して屈曲させた第１屈曲部と、該第１屈曲部の内周側に連続して該第１屈曲部と反対方向に折返して屈曲させた第２屈曲部とを備える金属製の缶蓋において、
前記第２屈曲部の内周側に沿ってパネルを肉厚方向に押し潰した潰し部が設けられていることを特徴とする缶蓋。
【請求項２】
前記スコアの外周側に沿ってパネルを裏面側に折り返して屈曲させた第３屈曲部と、該第３屈曲部とスコアとの間に沿って該第３屈曲部と反対方向に折り返して屈曲させた第４屈曲部とを備え、
第３屈曲部と第４屈曲部との間のパネルと、第４屈曲部と前記第１屈曲部との間のパネルが略平行に対向することを特徴とする請求項１記載の缶蓋。
【請求項３】
前記スコアが位置する前記第１屈曲部と前記第４屈曲部との間のパネルは、第１屈曲部側から第４屈曲部側に向かって下方に傾斜していることを特徴とする請求項２記載の缶蓋。
【請求項４】
前記スコアと前記第４屈曲部との間に沿って、該スコアの刻設に先立ってパネルを上方に山折りした曲げ部が設けられていることを特徴とする請求項２又は３記載の缶蓋。
【請求項５】
前記タブは、リベットを介して前記開口片に連結されており、
前記開口片の周縁部には、リベットと第２屈曲部との間の何れかの位置から第２屈曲部までの距離を幅寸法として第２屈曲部に向かって下方に傾斜する傾斜部が全周に設けられていることを特徴とする請求項１乃至４の何れか１項記載の缶蓋。
【請求項６】
前記第１屈曲部は、該第１屈曲部の折り返された内側において互いに対向するパネル裏面同士が、前記開口片の外周縁に向かって次第に拡開する形状に屈曲していることを特徴とする請求項１乃至５の何れか１項記載の缶蓋。
【請求項７】
前記スコアは、前記タブによる破断開始位置を含む半周より狭い第１の所定領域において他の領域よりも破断厚が薄く、該第１の所定領域の両端に隣接する一対の第２の所定領域において第１の所定領域よりも破断厚が厚く、更に、第１の所定領域の反対側に位置する両第２の所定領域間の第３の所定領域において第１の所定領域よりも破断厚が厚く且つ第２の所定領域よりも破断厚が薄く形成されていることを特徴とする請求項１乃至６の何れか１項記載の缶蓋。
【請求項８】
前記タブは、リベットを介して前記開口片に連結されており、
該リベットを介して前記タブによる前記スコアの破断開始位置の反対側のパネルに補助スコアが設けられ、
該補助スコアは、リベットの外周の一部に円弧状に沿って形成された中央湾曲部と、該中央湾曲部の両端に連続してリベットの両側に延びる一対の側方延出部とを備え、
各側方延出部は、前記スコアの破断開始位置と前記開口片を備えるパネル中心とを結ぶ直線に直交してリベット中心を通る直線に対して、パネル中央側に所定間隔を存して形成されていることを特徴とする請求項１乃至７の何れか１項記載の缶蓋。
【発明の詳細な説明】
【技術分野】
【０００１】
本発明は、タブが設けられた開口片を環状のスコアに沿って破断することにより、開口片を切除してパネルに開口を形成する缶蓋に関する。
【背景技術】
【０００２】
魚肉や惣菜等の固形或いは半固形の食料を収容する缶体の天蓋として用いられる缶蓋として、パネルに刻設された環状のスコアと、スコアによって包囲された開口片と、開口片に設けられてスコアを破断するタブとを備え、タブ操作によってスコアを破断して開口片を取り除くことで、パネルの略全部を開口することができる所謂イージーオープン式のフルオープン缶蓋が知られている。
【０００３】
また、この種の缶蓋においては、開口時に破断されたスコアにより形成される切断端縁への接触を防止すると共にスコアに沿ったパネルの撓みを防止してスコアが確実に破断できるように、スコアの両側に沿ってパネルを折り返すことにより複数の屈曲部を形成したものが知られている（例えば、特許文献１参照）。
【０００４】
しかし、この種の缶蓋は、パネルを折返し加工した際に屈曲部に付与された加工歪がスコアの破断と同時に開放され、屈曲部が平坦な状態に戻ろうとしてその屈曲角度が浅くなる。これによると、開口片の周縁の切断端縁が屈曲部の戻りにより缶体上縁に残されたパネルの切断端縁に向かって迫出し、パネルの切断端縁も屈曲部の戻りにより開口片の切断端縁に向かって迫出すので、破断されたスコアによる両切断端縁同士が干渉して円滑な開口片の引き上げが阻害される。そして、このような両切断端縁同士の干渉は、タブを起こしてタブ先端によるスコアの初期破断の後、タブを把持して開口片を引き上げてスコア全周にわたる破断に際して、常に開口片と缶体に残されるパネルとの間で生じるので、開口作業時に大きな破断力が必要となる不都合がある。
【０００５】
また、両切断端縁同士の干渉があっても、開口作業時の破断力を低減するために、パネル全体の肉厚を薄くしたり、スコアの破断厚（即ち、スコアの破断される部分の肉厚）をその全周にわたって薄く形成すること等が考えられるが、こうした場合には、落下の衝撃によってスコアが不用意に破断されるおそれがあるため好ましくない。
【特許文献１】特開平２−１８０１４８号公報（第１図）
【発明の開示】
【発明が解決しようとする課題】
【０００６】
かかる不都合を解消して、本発明は、比較的小さな力で開口することができ、しかも、外部からの衝撃に伴う不用意なスコア破断を防止することができる缶蓋を提供することを目的とする。
【課題を解決するための手段】
【０００７】
かかる目的を達成するために、本発明は、円盤状のパネルに形成され、環状のスコアに沿って破断されるパネルの一部である開口片と、該開口片に設けられて前記スコアを破断するタブとを備え、前記スコアに沿った前記開口片の周縁部に、パネルを裏面側に折り返して屈曲させた第１屈曲部と、該第１屈曲部の内周側に連続して該第１屈曲部と反対方向に折返して屈曲させた第２屈曲部とを備える金属製の缶蓋において、前記第２屈曲部の内周側に沿ってパネルを肉厚方向に押し潰した潰し部が設けられていることを特徴とする。
【０００８】
前記第２屈曲部は、その折返し方向が前記第１屈曲部と反対方向であるので、パネルを上面側に折り返して屈曲させることによって形成されている。このため、スコアの破断に伴って、第２屈曲部の折り曲げ加工時に付与された加工歪が開放されると、第２屈曲部を介してパネルの上方に折り返された部分が開口片の全周にわたって起立方向に動いて開口片の破断端縁の外側への迫出しが比較的大となるおそれがある。
【０００９】
そこで、本発明は、第２屈曲部の内周側に前記潰し部を設けて、第２屈曲部の折り曲げ加工時に付与された加工歪の開放を開口片の全周にわたって抑制し、第２屈曲部の屈曲状態を維持させる。なお、このとき、第２屈曲部は角が形成されるように折り曲げず、比較的大きく湾曲させて形成しておく。
【００１０】
これによれば、スコアが破断されたときに、第２屈曲部を介してパネルの上方に折り返された部分の起き上がりが開口片の全周にわたって均一に抑えられ、缶体上縁に残されたパネル内縁の破断端縁に向かう開口片の周縁の破断端縁の迫出しを防止することができる。これによって、缶体上縁に残されたパネル内縁の破断端縁と開口片の周縁の破断端縁との干渉が全周にわたって防止でき、タブを把持して開口片を引き上げることによるスコア全周にわたる均一な破断が円滑に行えるので、比較的小さな破断力で開口作業を容易に行うことができる。
【００１１】
更に、本発明においては、前記スコアの外周側に沿ってパネルを裏面側に折り返して屈曲させた第３屈曲部と、該第３屈曲部とスコアとの間に沿って該第３屈曲部と反対方向に折り返して屈曲させた第４屈曲部とを備え、第３屈曲部と第４屈曲部との間のパネルと、第４屈曲部と前記第１屈曲部との間のパネルが略平行に対向することを特徴とする。なお、この場合にも、第３屈曲部と第４屈曲部とは湾曲形状を描くようにして折り曲げられることが好ましい。
【００１２】
本発明によれば、第３屈曲部と第４屈曲部との間のパネルと、第４屈曲部と前記第１屈曲部との間のパネルが略平行に対向するように形成したことにより、第４屈曲部が大きく曲げ加工され（屈曲角度が小さく加工され）ている。これによって、第４屈曲部の屈曲状態が維持されるので、スコアが破断されたときに、缶体上縁に残されたパネル内縁の破断端縁が開口片の破断端縁に向かって迫出す量は極めて少なく、缶体上縁に残されたパネル内縁の破断端縁と開口片の周縁の破断端縁との干渉を防止することができる。
【００１３】
更に、前記スコアが位置する前記第１屈曲部と前記第４屈曲部との間のパネルは、第１屈曲部側から第４屈曲部側に向かって下方に傾斜していることが好ましい。これによって、缶体上縁に残されたパネル内縁の破断端縁と開口片の周縁の破断端縁との干渉を全周にわたって良好に防止することができる。なお、このときには、タブの先端を傾斜する第１屈曲部と第４屈曲部との間のスコア近傍に当接させ、該タブをその先端が第１屈曲部と第４屈曲部との間の傾斜方向に対して垂直方向に押し下げるように設けておくことで、初期開口時の開口力をスコアに効率よく集中させることができ、確実な初期開口を実現することができる。
【００１４】
更に、前記スコアと前記第４屈曲部との間に沿って、該スコアの刻設に先立ってパネルを上方に山折りした曲げ部が設けられていることが好ましい。
【００１５】
これによれば、スコアの刻設に伴ってスコア部分から第４屈曲部へ向かう材料の肉流を曲げ部によって阻止することができ、開口片の周縁のパネルに全周にわたって張りを持たせた状態でスコアを刻設することができる。これによって、各屈曲部の曲げ加工時の影響を受けることなく、スコアの上端側の開放間隔がスコア全周にわたって均一に安定して得られるので、スコアの強度低下をスコア全周にわたって確実に防止することができる。
【００１６】
以上の構成により、缶体の上縁（即ち、缶蓋の外周縁部）に外部から衝撃を受けたとき、その衝撃は、第３屈曲部から第４屈曲部に伝わり、更に、スコアを経て第１屈曲部から第２屈曲部へと伝わる。このとき、スコアの両側に各屈曲部が形成されていることで緩衝作用が得られるが、更に、第１屈曲部と第４屈曲部との間のパネルが傾斜していることによって、第４屈曲部側から伝達された衝撃を傾斜に交差する方向に分散させて効率よく緩和することができ、衝撃による不用意なスコア破断を確実に防止することができる。
【００１７】
また、本発明において、前記タブは、リベットを介して前記開口片に連結されており、前記開口片の周縁部には、リベットと第２屈曲部との間の何れかの位置から第２屈曲部までの距離を幅寸法として第２屈曲部に向かって下方に傾斜する傾斜部が全周に設けられていることが好ましい。これによれば、開口作業時に前記傾斜部によって開口片の撓みが防止され、タブを把持して開口片を引き上げることによるスコア全周にわたる破断が円滑に行えるので、比較的小さな破断力で開口作業を容易に行うことができる。
【００１８】
また、本発明において、前記第１屈曲部は、該第１屈曲部の折り返された内側において互いに対向するパネル裏面同士が、前記開口片の外周縁に向かって次第に拡開する形状に屈曲していることが好ましい。これによれば、各屈曲部を形成した後に缶蓋の裏面側に補正材等を塗布するとき、第１屈曲部の折り返された内側が拡開していることにより、第１屈曲部の内側への塗布がその全周にわたって確実に行われる。これによって、第１屈曲部の内側全周への均一な補正を容易に施すことができる。
【００１９】
また、本発明において、前記スコアは、前記タブによる破断開始位置を含む半周より狭い第１の所定領域において他の領域よりも破断厚が薄く、該第１の所定領域の両端に隣接する一対の第２の所定領域において第１の所定領域よりも破断厚が厚く、更に、第１の所定領域の反対側に位置する両第２の所定領域間の第３の所定領域において第１の所定領域よりも破断厚が厚く且つ第２の所定領域よりも破断厚が薄く形成されていることを特徴とする。なお、この場合に、第１の領域はパネル中心からの角度１１０°以内の範囲とし、第３の領域はパネル中心からの角度９０°以内の範囲とすることが好ましい。
【００２０】
比較的小さな破断力で開口することができるようになっていると、開口作業時に過剰な力を加えてタブを引き上げた場合に、タブの先端による初期破断位置の反対側に位置する最終破断位置では、開口片の引き起こし角度が鋭角から鈍角に急激に変化するため、最終破断位置における破断端縁に所謂切れまくれが生じ、これに使用者の手指等が触れると使用者に不快感を与えるおそれがある。また、開口作業時に過剰な力を加えてタブを引き上げた場合に、スコアが全周にわたって一挙に破断されることも考えられ、この場合には開口片が急激に缶体上部を開放するので、缶体に収容されている内容物が飛び出すおそれがある。
【００２１】
そこで、本発明においては、スコアの破断厚を第１の所定領域において最も薄くして初期破断を容易とした上で、第２の所定領域の破断厚を第１の所定領域より厚くして破断の進行速度を抑制し、第３の所定領域の破断厚を第１の所定領域より厚く且つ第２の所定領域より薄くして、最終破断を円滑に行えるようにした。これによって、開口作業時に過剰な力を加えてタブを引き上げても、最終破断位置のスコアの破断端縁に切れまくれが生じることがなく、しかも、スコアが全周にわたって一挙に破断されて内容物が飛び出すこともなく、極めて容易な開口性を得ることができる。
【００２２】
また、本発明において、前記タブは、リベットを介して前記開口片に連結されており、該リベットを介して前記タブによる前記スコアの破断開始位置の反対側のパネルに補助スコアが設けられ、該補助スコアは、リベットの外周の一部に円弧状に沿って形成された中央湾曲部と、該中央湾曲部の両端に連続してリベットの両側に延びる一対の側方延出部とを備え、各側方延出部は、前記スコアの破断開始位置と前記開口片を備えるパネル中心とを結ぶ直線に直交してリベット中心を通る直線に対して、パネル中央側に所定間隔を存して形成されていることが好ましい。これによって、破断開始位置のスコアと補助スコアとの間隔が比較的大きく形成される。
【００２３】
タブを起こしてタブの先端により破断開始位置のスコアが破断されるときには、タブの先端がスコアを破断するに先立って補助スコアが破断される。補助スコアが破断されると、更にタブを起こすことにより、補助スコアの両端から開口片の一部が下方に折れ曲がる。このとき、破断開始位置のスコアと補助スコアとの間隔が比較的大きく形成されるので、破断開始位置のスコアに沿って開口片の比較的広範囲にわたって当該折り曲げ時の力が作用し、スコアの初期破断される領域を広く形成して確実な初期開口を行うことができる。
【発明を実施するための最良の形態】
【００２４】
本発明の一実施形態を図面に基づいて説明する。図１は本実施形態の缶蓋の平面図、図２は図１のII−II線断面図、図３は本実施形態の缶蓋のスコアの断面形状を示す説明図、図４は本実施形態の缶蓋の要部を拡大して示す説明的断面図、図５（ａ）は本実施形態の缶蓋のスコア破断状態を示す説明図、図５（ｂ）は従来の缶蓋のスコア破断状態を示す説明図である。
【００２５】
本実施形態の缶蓋１は、図１に示すように、円盤状の金属板により形成されている。缶蓋１は図示しない缶体上部を閉塞するパネル２を備え、パネル２の外周縁部には、缶体上縁に巻き締めるカール部３が形成されている。該カール部３は、図２に示すように、パネル２周縁から起立して該パネル２を包囲するチャックウォール４を備えている。
【００２６】
図１に示すように、パネル２には、チャックウォール４から所定距離を存して環状のスコア５が形成されている。パネル２において、スコア５に包囲された内側面は、パネル開口片２ａとして切除され、スコア５の外側周縁部はパネル枠２ｂとして図示しない缶体に残留するようになっている。
【００２７】
パネル開口片２ａには、リベット６を介してタブ７が取り付けられている。リベット６は、図２に示すように、パネル開口片２ａの周縁部の一部寄りに突出して形成されている。タブ７には、リベット６が挿通されるリベット穴８が形成されており、タブ７のリベット穴８に挿通されたリベット６をかしめることによりタブ７が強固に連結される。
【００２８】
タブ７は、図１、図２及び図４に示すように、リベット６を介してスコア５側に延びるタブノーズ９と、リベット６を介してパネル２の中央部側に位置するリング部１０とを備えている。タブノーズ９の先端はスコア５に臨んでおり、リング部１０は手指等によって把持可能とされている。また、リベット６のパネル開口片２ａの内方側における近傍には、補助スコア１１が形成されている。
【００２９】
スコア５は、図１を参照して、タブ７による破断開始位置を含む第１の領域Ｌａ（第１の所定領域）と、第１の領域Ｌａの両端に隣接する一対の第２の領域Ｌｂ（第２の所定領域）と、第１の領域Ｌａの反対側に位置する両第２の領域Ｌｂ間の第３の領域Ｌｃ（第３の所定領域）とで夫々破断厚が異なって形成されている。そして、図３（ａ）に示す第１の領域Ｌａにおけるスコア５の破断厚Ｈａは、図３（ｃ）に示す第３の領域Ｌｃにおけるスコア５の破断厚Ｈｃより薄く形成され、図３（ｃ）に示す第３の領域Ｌｃにおけるスコア５の破断厚Ｈｃは、図３（ｂ）に示す第２の領域Ｌｂにおけるスコア５の破断厚Ｈｂより薄く形成されている。
【００３０】
なお、本実施形態においては、第１の領域Ｌａは缶蓋１の中心からの角度約９０°の範囲とされ、第３の領域Ｌｃは缶蓋１の中心からの角度約８０°の範囲とされ、第２の領域Ｌｂは第１の領域Ｌａと第３の領域Ｌｃとを除く残りの角度範囲とされている。
【００３１】
補助スコア１１は、図１に示すように、リベット６の外周の一部に円弧状に沿って形成された中央湾曲部１１ａと、該中央湾曲部１１ａの両端に連続してリベット６の両側に延びる一対の側方延出部１１ｂとを備えている。更に、各側方延出部１１ｂは、スコア５の破断開始位置と缶蓋１の中心（パネル開口片２ａを備えるパネル２中心）とを結ぶ直線Ｘに直交してリベット６の中心を通る直線Ｙに対して、パネル２の中央側方向に所定の間隔を存して形成されている。即ち、これによって、破断開始位置のスコア５と補助スコア１１との間隔が比較的大きく形成される。
【００３２】
また、図２及び図４に示すように、前記パネル開口片２ａの外周縁部となるスコア５の内周側に沿って、パネル２を裏面側に折り返して屈曲させた第１屈曲部１２と、該第１屈曲部１２の内周側に連続して該第１屈曲部１２と反対方向に折返して屈曲させた第２屈曲部１３とが形成されている。そして、第１屈曲部１２は、該第１屈曲部１２の折り返された内側において互いに対向するパネル２の裏面同士が、パネル開口片２ａの外周縁に向かって次第に拡開する形状となるように屈曲している。
【００３３】
更に、前記パネル枠２ｂの内周縁部となるスコア５の外周側に沿って、パネル２を裏面側に折り返して屈曲させた第３屈曲部１４と、該第３屈曲部１４とスコア５との間に沿って該第３屈曲部１４と反対方向に折り返して屈曲させた第４屈曲部１５とが形成されている。
【００３４】
更に詳しくは、図４に示すように、第２屈曲部１３の内周側には、その全周にわたってパネル２を肉厚方向に押し潰した潰し部１６が形成されている。また、第３屈曲部１４と第４屈曲部１５との間のパネル２と、第４屈曲部１５と第１屈曲部１２との間のパネル２とは互いに略平行に対向するように形成されている。また、スコア５が位置する第１屈曲部１２と第４屈曲部１５との間のパネル２は、第１屈曲部１２側から第４屈曲部１５側に向かって下方に傾斜するように形成されている。更に、パネル開口片２ａの周縁部には、リベット６と第２屈曲部１３との間から第２屈曲部１３までの距離を幅寸法として第２屈曲部１３に向かって下方に傾斜する傾斜部１７が全周に設けられている。
【００３５】
また、スコア５と第４屈曲部１５との間には、スコア５の全周に沿って、パネル２を上方に山折りした曲げ部１８が形成されている。なお、該曲げ部１８は、スコア５の刻設に先立って又はスコア５の刻設と同時に形成される。
【００３６】
次に、以上の構成による缶蓋１の開口時の作用を説明する。図４を参照して、先ず、タブ７のリング部１０を把持してリベット６の方向に起こすと、タブノーズ９の先端がスコア５近傍に当接し、この当接部分を支点としてリベット６が持ち上げられて補助スコア１１が破断される。補助スコア１１が破断されたことによって、タブ７はリベット６部分を介して容易に揺動できるようになる。
【００３７】
続いて更にタブ７のリング部１０を起こすと、リベット６部分を含む補助スコア１１両端を支点としてタブノーズ９の先端がスコア５近傍を押し下げてスコア５を破断する（初期破断）。更にリング部１０を起こすと、補助スコア１１の両端からパネル開口片２ａの一部が下方に折れ曲がる。このとき、図１に示すように、破断開始位置のスコア５と補助スコア１１との間隔が比較的大きく形成されているので、破断開始位置のスコア５に沿ってパネル開口片２ａの比較的広範囲にわたって当該折り曲げ時の力が作用し、スコア５の初期破断される領域を広く形成して確実な初期開口を行うことができる。
【００３８】
そして、タブ７のリング部１０に指を掛けてタブ７全体を上方に引き上げると、タブ７と共にパネル開口片２ａが引き上げられる。これにより、初期破断が行われたスコア５から全周にわたってスコア５の破断が進行し、タブ７と共にパネル開口片２ａが取り除かれて、パネル枠２ｂの内周側に開口部が形成される。このとき、第２屈曲部の内周側に潰し部１６が形成されていることによって、第２屈曲部１３の折り曲げ加工時に付与された加工歪の開放が抑制され、スコア５の破断に伴う第２屈曲部１３の戻りが抑えられるので、図５（ａ）に示すように、パネル開口片２ａの周縁の破断端縁の迫出しが全周にわたって殆ど生じない。同じように、第４屈曲部１５が大きく曲げ加工されていることによって、第３屈曲部１４と第４屈曲部１５との間のパネル２と、第４屈曲部１５と第１屈曲部１２との間のパネル２が略平行に対向するように形成されているので、スコア５の破断に伴う第４屈曲部１５の戻りが抑えられ、図５（ａ）に示すように、パネル枠２ｂの内縁の破断端縁の迫出しが全周にわたって殆ど生じない。これによって、図５（ｂ）に比較のために示す従来の缶蓋３５ような、パネル枠３５ｂの破断端縁とパネル開口片３５ａの破断端縁とが共に迫出して互いに干渉する事態が防止でき、図５（ａ）に示すように、パネル枠２ｂの破断端縁とパネル開口片２ａの破断端縁とが干渉することなく、タブ７を把持してパネル開口片２ａを引き上げることによるスコア５全周にわたる破断が円滑に行える。そしてしかも、各屈曲部１２，１３，１４，１５によってスコア５の両側に沿った全周が補強されてパネル開口片２ａの歪みが適度に抑制されているので、タブ７の引き上げに伴う破断力を確実にスコア５に付与することができ、少ない力で容易に開口することができる。
【００３９】
更に、図１及び図３に示すように、スコア５は、第１の領域Ｌａの破断厚Ｈａを最も薄くしたことにより、初期破断を容易に行うことができる。しかも、第２の領域Ｌｂの破断厚Ｈｂを第１の領域Ｌａの破断厚Ｈａより厚くしたことによりスコア５の破断の進行速度を第２の領域Ｌｂにおいて抑制したので、急激に開口されることが防止でき、スコア５が全周にわたって一挙に破断されることがない。更に、第３の領域Ｌｃの破断厚Ｈｃを第１の領域Ｌａの破断厚Ｈａより厚く且つ第２の領域Ｌｂの破断厚Ｈｂより薄くしたので、最終破断を円滑に行うことができるだけでなく、パネル開口片２ａを起こしきるときにパネル開口片２ａの角度が鋭角から鈍角に急激に変化しても破断端縁に切れまくれを発生させることなく開口することができる。
【００４０】
更に、図４に示すように、スコア５の両側に第１〜第４屈曲部１２，１３，１４，１５が配設されているだけでなく、第１屈曲部１２と第４屈曲部１５との間のパネルが傾斜している。これによって、例えば、缶蓋１の外周縁部に外部から衝撃を受けたとき、その衝撃は、第３屈曲部１４から第４屈曲部１５に伝わり、更に、スコア５を経て第１屈曲部１２から第２屈曲部１３へと伝わって良好な緩衝作用が得られ、しかも、第４屈曲部１５側から伝達された衝撃を傾斜に交差する方向に分散させて効率よく緩和することができるので、衝撃による不用意なスコア５の破断を確実に防止することができる。
【００４１】
また、リベット６と第２屈曲部１３との間から第２屈曲部１３に向かって傾斜する傾斜部１７が形成されていることによって、開口作業時にパネル開口片２ａの撓みが防止されるので、スコア５全周にわたる破断を円滑に行うことができる。
【図面の簡単な説明】
【００４２】
【図１】本発明の一実施形態における缶蓋の平面図。
【図２】図１のII−II線断面図。
【図３】本実施形態の缶蓋のスコアの断面形状を示す説明図。
【図４】本実施形態の缶蓋の要部を拡大して示す説明的断面図。
【図５】（ａ）は本実施形態の缶蓋のスコア破断状態を示す説明図、（ｂ）は従来の缶蓋のスコア破断状態を示す説明図。
【符号の説明】
【００４３】
１…缶蓋、２…パネル、２ａ…パネル開口片（開口片）、５…スコア、６…リベット、７…タブ、１１…補助スコア、１１ａ…中央湾曲部、１１ｂ…側方延出部、１２…第１屈曲部、１３…第２屈曲部、１４…第３屈曲部、１５…第４屈曲部、１６…潰し部、１７…傾斜部、１８…曲げ部、Ｌａ…第１の領域（第１の所定領域）、Ｌｂ…第２の領域（第２の所定領域）、Ｌｃ…第３の領域（第３の所定領域）。
【図１】
0004776430.tif 000002
【図２】
0004776430.tif 000003
【図３】
0004776430.tif 000004
【図４】
0004776430.tif 000005
【図５】
0004776430.tif 000006